(57)【要約】【課題】工事現場において一人の作業員のみで工事写真用黒板を工事現場と共に写真撮影し、或いは一人の作業員のみで標尺を測量機器にて測定することができるようにした工事現場用支持具を提供する。【解決手段】三脚架１と、該三脚架に取り付けられた工事写真用黒板係止手段２３とよりなることを特徴とする工事現場用支持具。三脚架と、該三脚架に取り付けられた工事写真用黒板係止手段と、該三脚架に取り付けられた標尺支持手段とよりなることを特徴とする工事現場用支持具。【選択図】図１
0003122737.tif 000002
【実用新案登録請求の範囲】
【請求項１】
三脚架と、該三脚架に取り付けられた工事写真用黒板係止手段とよりなることを特徴とする工事現場用支持具。
【請求項２】
三脚架と、該三脚架に取り付けられた工事写真用黒板係止手段と、該三脚架に取り付けられた標尺支持手段とよりなることを特徴とする工事現場用支持具。
【考案の詳細な説明】
【技術分野】
【０００１】
本考案は、工事現場用支持具に関するものであり、特に、工事現場において工事写真用黒板ないし標尺を支持する工事現場用支持具に係るものである。
【背景技術】
【０００２】
工事写真用黒板は、工事現場の状況を記録するために、工事名、工種（工事の種類）、場所、測点、寸法等を書き込んだ状態で、工事現場と共に工事写真に写し込まれるものである。
【０００３】
標尺は、表面に目盛を付した棒であって、工事現場の地上に垂直に立て、該標尺を測量機器にて高さ等を測定するようにしたものである。
【０００４】
工事写真用黒板を使用する際には、一人の作業員が工事写真用黒板を手に持った状態で、他の作業員が該工事写真用黒板を工事現場と共に写真撮影するようにし、又は、工事写真用黒板を工事現場に立設した支持棒に立て掛けた状態で、工事写真用黒板を工事現場と共に写真撮影するようにしている。
【０００５】
実開平７−１４９２６号公報は、背面に折り畳み自在の脚を備えた工事写真用黒板を開示している。
【０００６】
標尺を使用する際には、一人の作業員が標尺を地上に垂直に支持した状態で、他の作業員が該標尺を測量機器にて測定するようにしている。
【特許文献１】実開平７−１４９２６号公報
【考案の開示】
【考案が解決しようとする課題】
【０００７】
一人の作業員が工事写真用黒板を手に持った状態で、他の作業員が該工事写真用黒板を工事現場と共に写真撮影する場合には、二名の作業員を要するため、人件費の無駄を生ずる。
【０００８】
工事写真用黒板を工事現場に立設した支持棒に立て掛けた状態で、工事写真用黒板を工事現場と共に写真撮影する場合には、工事写真用黒板が風により動き或いは倒れるおそれがあり、また、地形によっては支持棒を工事現場に立設することが困難である。
【０００９】
背面に折り畳み自在の脚を備えた工事写真用黒板は、地形によっては工事現場に立てることが困難である。
【００１０】
一人の作業員が標尺を地上に垂直に支持した状態で、他の作業員が該標尺を測量機器にて測定する場合には、二名の作業員を要するため、人件費の無駄を生ずる。
【００１１】
本考案は、上記従来の技術における上述の如き問題を解決し、工事現場において一人の作業員のみで工事写真用黒板を工事現場と共に写真撮影し、或いは一人の作業員のみで標尺を測量機器にて測定することができるようにした工事現場用支持具を提供しようとしてなされたものである。
【課題を解決するための手段】
【００１２】
上記課題を解決するために、本考案は、下記の工事現場用支持具を提供する。
【００１３】
（１）三脚架と、該三脚架に取り付けられた工事写真用黒板係止手段とよりなることを特徴とする工事現場用支持具（請求項１）。
【００１４】
（２）三脚架と、該三脚架に取り付けられた工事写真用黒板係止手段と、該三脚架に取り付けられた標尺支持手段とよりなることを特徴とする工事現場用支持具（請求項２）。
【考案の効果】
【００１５】
［請求項１の考案］
工事写真用黒板は、三脚架に取り付けられた工事写真用黒板係止手段に係止させることができる。
【００１６】
工事写真用黒板を工事写真用黒板係止手段に係止させることにより、工事現場において一人の作業員のみで工事写真用黒板を工事現場と共に写真撮影することができる。その結果、工事写真用黒板を支持する作業員が不要となり、人件費が節約される。
【００１７】
また、工事写真用黒板係止手段は三脚架に取り付けられているため、工事写真用黒板は、風があるときでも、工事写真用黒板係止手段に安定した状態で係止させることができる。
【００１８】
更に、工事写真用黒板係止手段が取り付けられている三脚架は、工事現場における種々の地形上に支障なく立設することができる。
【００１９】
[請求項２の考案]
請求項２の考案は、上記請求項１の考案と同様の効果を奏する他、下記の効果をも発揮する。
【００２０】
標尺を地上に垂直に立てた状態で標尺支持手段に支持させることができる。
【００２１】
標尺を標尺支持手段に支持させることにより、一人の作業員のみで標尺を測量機器にて測定することができる。その結果、標尺を支持する作業員が不要となり、人件費が節約される。
【考案を実施するための最良の形態】
【００２２】
符号１に示すものは三脚架である。
【００２３】
図示の事例における三脚架１は、二本の前脚３、５と一本の後脚７とよりなる。
【００２４】
前脚３、５は、上端３ａ、５ａを略三角形の結着板９を介して相互に結着すると共に下方に向かって開いた状態で連結杆１１を介して相互に連結している。
【００２５】
後脚７は、前後方向（前脚３、５の連結杆１１に接離する方向）に回動自在、かつ、所望の角度にてロック可能に、上端７ａを前脚３、５上端３ａ、５ａの結着板９に枢着している。図２、図３参照。
【００２６】
すなわち、一例として図３に示すように、後脚７の上端７ａに上端板１３を取り付け、前脚３、５上端３ａ、５ａの結着板９に支持板１５を突設し、該上端板１３と支持板１５とを回動軸を兼ねたボルト１７を介して回動自在に連結し、該ボルト１７にナット１９を螺合し、該ボルト１７とナット１９とを締め付けることにより後脚７の上端板１３を結着板９の支持板１５に固定するようにしている。
【００２７】
三脚架１には工事写真用黒板２１を係止するための工事写真用黒板係止手段２３を取り付ける。
【００２８】
工事写真用黒板係止手段２３は、一例として、略Ｕ字状のフックとし、このフックを複数個三脚架１の上部に取り付ける。
【００２９】
工事写真用黒板係止手段２３に、例えば、工事写真用黒板２１の吊り下げ具２５を係止する。
【００３０】
工事写真用黒板２１の一例を図６に示す。この工事写真用黒板２１は、工事名記入欄２６、工種記入欄２７、測点記入欄２９、余白欄３１等を備えている。
【００３１】
三脚架１には、標尺３３を地上に垂直に立てた状態で支持する標尺支持手段３５を備えさせる。
【００３２】
図示の事例における標尺支持手段３５は、上側支持手段３５ａと下側支持手段３５ｂとよりなる。
【００３３】
上側支持手段３５ａは、三脚架１の上部に上側案内板３７を取り付け、該上側案内板３７には左右方向に長い案内孔３９を備えさせると共に標尺固定ネジ４１を備えさせてなる。
【００３４】
上側案内板３７の案内孔３９内には標尺３３を上下方向に挿通させる。標尺３３は、左右方向に長い案内孔３９内で左右方向に角度調節自在、かつ、高さ調節自在であり、所望の位置にて標尺固定ネジ４１によりロックされる。図４参照。
【００３５】
下側支持手段３５ｂは、三脚架１の下部に下側案内板４３を取り付け、該下側案内板４３には左右方向に長い案内孔４５を備えさせてなる。
【００３６】
三脚架１の下部に下側案内板４３を取り付ける際には、一例として、前脚３、５の連結杆１１に支持杆４７を固定し、該支持杆４７に下側案内板４３を支持させる。
【００３７】
下側案内板４３の案内孔４５内には標尺３３を上下方向に挿通させる。標尺３３は、左右方向に長い案内孔４５内で左右方向に角度調節自在、かつ、高さ調節自在である。
【００３８】
標尺３３の前後方向の角度調節は、後脚７を前後方向に回動させることにより行う。
【図面の簡単な説明】
【００３９】
【図１】本考案による工事現場用支持具の一例を示す正面図である。
【図２】同上工事現場用支持具の側面図である。
【図３】前脚と後脚との関係を示す平面図である。
【図４】上側支持手段の一例を示す平面図である。
【図５】下支持手段の一例を示す平面図である。
【図６】工事写真用黒板の一例を示す正面図である。
【符号の説明】
【００４０】
１  三脚架
３  前脚
３ａ  上端
５  前脚
５ａ  上端
７  後脚
７ａ  上端
９  結着板
１１  連結杆
１３  上端板
１５  支持板
１７  ボルト
１９  ナット
２１  工事写真用黒板
２３  工事写真用黒板係止手段
２５  吊り下げ具
２６  工事名記入欄
２７  工種記入欄
２９  測点記入欄
３１  余白欄
３３  標尺
３５  標尺支持手段
３５ａ  上側支持手段
３５ｂ  下側支持手段
３７  上側案内板
３９  案内孔
４１  標尺固定ネジ
４３  下側案内板
４５  案内孔
４７  支持杆
【図１】
0003122737.tif 000003
【図２】
0003122737.tif 000004
【図３】
0003122737.tif 000005
【図４】
0003122737.tif 000006
【図５】
0003122737.tif 000007
【図６】
0003122737.tif 000008